(57)【要約】【課題】着用者の身体に良好な影響を与えることが可能な義歯を提供する。【解決手段】義歯床１１と、義歯床１１に設けられる人工歯１２と、を備える義歯１であって、義歯床１１は、物品Ｘを収容する収容部１１ａを有し、物品Ｘは、有機物Ｘ１と、無機物Ｘ２と、を含み、無機物Ｘ２は、有機物Ｘ１に埋設されている。【選択図】図１
0003227784.tif 000002
【実用新案登録請求の範囲】
【請求項１】
義歯床と、前記義歯床に設けられる人工歯と、を備える義歯であって、
前記義歯床は、物品を収容する収容部を有し、
前記物品は、有機物と、無機物と、を含み、
前記無機物は、前記有機物に埋設されている義歯。
【請求項２】
前記有機物は、樹脂である、請求項１に記載の義歯。
【請求項３】
前記物品は、コイル部材を含み、
前記コイル部材は、前記有機物に埋設されている、請求項１又は２に記載の義歯。
【請求項４】
前記無機物は、天然石を含む、請求項１〜３の何れかに記載の義歯。
【請求項５】
前記無機物は、水晶を含む、請求項１〜４の何れかに記載の義歯。
【請求項６】
前記収容部は、前記人工歯における前歯に隣接して設けられている、請求項１〜５の何れかに記載の義歯。
【考案の詳細な説明】
【技術分野】
【０００１】
本考案は、物品が埋設された義歯に係るものである。
【背景技術】
【０００２】
従来から、特に義歯床に、所定の物品が埋設された義歯に関する発明が知られている。
【０００３】
例えば、特許文献１には、多数の義歯をまとめて洗浄する老人ホーム等において、洗浄した義歯を間違いなく持ち主に返却できるようにするため、簡単かつ確実に持ち主を特定できるような義歯に関する発明が記載されている。
この義歯は、レジン層にマーク挿入溝を形成し、このマーク挿入溝に、所定の情報が記憶されたマイクロチップ収納、封埋することで構成されている。
【０００４】
また、特許文献２には、レジン層に、写真や名前等が記載されたセロファン紙を貼り付けることで構成された義歯に関する発明が記載されている。
【０００５】
また、特許文献３には、仏像や宝石、写真等、入れ歯着用者のものを薄片に形成し被埋設物とし、これを透明のレジンで覆ったものを、義歯にあらかじめ設けておいた穴に取付けることで構成された義歯に関する発明が記載されている。
【先行技術文献】
【特許文献】
【０００６】
【特許文献１】特開平１１−２５３４６１号公報
【特許文献２】特開平３−２１３０７号公報
【特許文献３】特開平２−９５３６２号公報
【考案の概要】
【考案が解決しようとする課題】
【０００７】
しかしながら、特許文献１〜３に記載の義歯は、持ち主の特定や物品の保管を目的としたものであり、身体に着用するものとして、着用者に与える身体的な影響については、一切考慮されていない。
【０００８】
本考案は上記のような実状に鑑みてなされたものであり、着用者の身体に良好な影響を与えることが可能な義歯を提供することを課題とする。
【課題を解決するための手段】
【０００９】
上記課題を解決するために、本考案は、義歯床と、前記義歯床に設けられる人工歯と、を備える義歯であって、
前記義歯床は、物品を収容する収容部を有し、
前記物品は、有機物と、無機物と、を含み、
前記無機物は、前記有機物に埋設されている。
【００１０】
本考案によれば、有機物に埋設された無機物が、有機物から受ける圧力に基づくピエゾ効果により、微弱電位を発生する。
即ち、上記の態様となされた有機物と無機物とにより、自然界に存在する生命エネルギーを吸収し、ポジティブなオルゴンエネルギーを発生する、所謂オルゴナイトが構成される。
本義歯の着用者は、このオルゴンエネルギーの作用により、精神のバランスが保たれる、意識の乱れを整え集中力が高まる、その人の本来のあるべき状態に心身を整えられる、といった、身体に良好な影響を受けることが可能となる。
【００１１】
特に、義歯は、脳幹に近い部位に着用することから、オルゴンエネルギーの恩恵をより多く享受することが可能となる。
【００１２】
本考案の好ましい形態では、前記有機物は、樹脂である。
【００１３】
このような構成とすることで、義歯床を所謂レジン床とした際に、義歯床との親和性が向上し、製造性が向上する上、着用時の違和感も軽減される。
【００１４】
本考案の好ましい形態では、前記物品は、コイル部材を含み、前記コイル部材は、前記有機物に埋設されている。
【００１５】
このような構成とすることで、オルゴンエネルギーが、コイル部材を伝い四方に放射されることとなり、着用者は、オルゴンエネルギーの恩恵をさらに多く享受することが可能となる。
【００１６】
本考案の好ましい形態では、前記無機物は、天然石を含む。
【００１７】
このような構成とすることで、着用者は、オルゴンエネルギーのみならず、天然石自体が持つ自然のエネルギーによる影響を享受することができ、本義歯が御守りとしての役割を果たすことも可能となる。
【００１８】
本考案の好ましい形態では、前記無機物は、水晶を含む。
【００１９】
このような構成とすることで、微弱電位と共に一定の振動が発生する。これにより、この一定の振動が着用者の細胞と共鳴し、ＤＮＡの共振周波数を変えることで、免疫系を刺激しエネルギーのバランスを整える等、本義歯が、体調不良の改善にも効果を発揮する。
【００２０】
本考案の好ましい形態では、前記収容部は、前記人工歯における前歯に隣接して設けられている。
【００２１】
このような構成とすることで、収容部の容積が、前歯に隣接した部位により広く確保され、より多くの物品を収容しておくことができる。特に、本考案においては、無機物として複数種の天然石を収容しておくことで、オルゴンエネルギーのみならず、天然石毎の多様な自然エネルギーを享受することが可能となる。
【考案の効果】
【００２２】
本考案によれば、着用者の身体に良好な影響を与えることが可能な義歯を提供することができる。
【図面の簡単な説明】
【００２３】
【図１】本考案の実施形態に係る義歯を示す概略斜視図である。
【図２】本考案の実施形態に係る義歯を示す図であって、（ａ）平面図、（ｂ）ＰＰ´線断面図である。
【図３】本考案の実施形態に係る物品のコイル部材を示す概略斜視図である。
【考案を実施するための形態】
【００２４】
以下、図面を用いて、本考案の実施形態に係る義歯について説明する。
なお、以下に示す実施形態は本考案の一例であり、本考案を以下の実施形態に限定するものではない。また、これらの図において、符号１は、本実施形態に係る義歯を示す。
【００２５】
図１、図２に示すように、義歯１は、義歯床１１と、義歯床１１に設けられる人工歯１２と、を備える。
【００２６】
義歯床１１は、通常の義歯と同様に、樹脂により形成される所謂レジン床であり、物品Ｘを収容する収容部１１ａを有している。
【００２７】
収容部１１ａは、人工歯１２における前歯１２ａに隣接して設けられている。
なお、収容部１１ａは、本実施形態においては、略楕円形状の窪みであり、図１及び図２においては、その領域を仮想的に点線で示している。
【００２８】
人工歯１２は、通常の義歯と同様に、義歯床１１の周縁に沿って複数（１４本）埋設されている。
【００２９】
物品Ｘは、有機物Ｘ１と、無機物Ｘ２と、コイル部材Ｘ３と、を含む。
【００３０】
有機物Ｘ１は、本実施形態においては、樹脂である。
なお、有機物Ｘ１に用いられる樹脂としては、ポリエチレンやポリプロピレン、ポリ塩化ビニル等の熱可塑性樹脂や、フェノール系樹脂やエポキシガラス等のエポキシ系樹脂等の熱硬化性樹脂等が挙げられるが、特に、義歯床１１と同様の樹脂素材により形成されていることが好ましい。
【００３１】
無機物Ｘ２は、本実施形態においては、水晶を含む複数種の天然石により構成されている。
なお、無機物Ｘ２を構成する天然石としては、例えば、クリアクリスタルやアメジスト、ローズクォーツ、シトリンといった水晶の他、任意の鉱物やパワーストーンを含んでいても良い。
【００３２】
コイル部材Ｘ３は、一本の金属線を渦巻き状とすることで形成されている、
コイル部材Ｘ３の形状について詳述すれば、図３に示すように、一本の金属線について、その半分を時計回りに、もう半分を反時計回りに巻き回すことにより形成されている。
このようにすることで、時計回りとしたコイル部材Ｘ３の効果（例えば、エネルギーを循環させ、増強、増幅、活性させる効果）と、反時計回りとしたコイル部材Ｘ３の効果（例えば、エネルギーを取り込み、浸透活性する効果）を同時に享受することができる。
なお、コイル部材Ｘ３は、必ずしも、無機物Ｘ２と別体として構成する必要はなく、無機物Ｘ２に巻き付けるようにして構成しても良い。
【００３３】
物品Ｘは以下のようにして、義歯床１１に収容される。
【００３４】
まず、収容部１１ａの内部に、無機物Ｘ２とコイル部材Ｘ３を収容する。
【００３５】
次に、収容部１１ａの内部に、液体状の有機物Ｘ１を流し入れ、硬化させる。
なお、有機物Ｘ１の硬化方法については、有機物Ｘ１として使用する樹脂の種類によって、主剤と硬化剤との混合によるものや、紫外線に晒して硬化させる方法等、種々の方法を取り得る。
【００３６】
これにより、無機物Ｘ２とコイル部材Ｘ３とは、有機物Ｘ１の内部に埋設されて態様となり、物品Ｘ全体が、収容部１１ａに収容される。
また、硬化した有機物Ｘ１は、義歯床１１に溶着し、義歯床１１と一体となる。
【００３７】
なお、図１や図２において、便宜上、有機物Ｘ１として半透明の樹脂を用いることにより、内部の無機物Ｘ２及びコイル部材Ｘ３が視認可能な状態を示しているが、樹脂の色はこれに限られず、義歯床１１と同様のピンク色ないしは淡赤色としても良い。
【００３８】
また、物品Ｘとして上記してものの他、複数の金属片を収容しても良い。
このようにすることで、無機物Ｘ２から発生した微弱電位を、より効率的に磁場へ変換し、外部へ放出することができる。
【００３９】
本実施形態によれば、有機物と無機物とにより、義歯床１１の内部に所謂オルゴナイトが構成される。そして、義歯１の着用者は、このオルゴンエネルギーの作用により、精神のバランスが保たれる、意識の乱れを整え集中力が高まる、その人本来のあるべき状態に心身整えられる、といった、身体に良好な影響を受けることが可能となる。
【００４０】
特に、義歯１は、脳幹に近い部位に着用することから、オルゴンエネルギーの恩恵をより多く享受することが可能となる。
【００４１】
また、有機物Ｘ１が樹脂であることで、所謂レジン床である義歯床１１との親和性が向上し、製造性が向上する上、着用時の違和感も軽減される。
【００４２】
また、コイル部材Ｘ３により、オルゴンエネルギーがコイル部材Ｘ３を伝い四方に放射されることとなり、着用者は、オルゴンエネルギーの恩恵をさらに多く享受することが可能となる。
【００４３】
また、無機物が複数種の天然石を含むことで、着用者は、オルゴンエネルギーのみならず、天然石自体が持つ自然のエネルギーによる影響を享受することができ、義歯１が御守りとしての役割を果たすことも可能となる。
【００４４】
また、無機物Ｘ２が水晶を含むことで、この水晶から微弱電位と共に一定の振動が発生する。これにより、この一定の振動が着用者の細胞と共鳴し、ＤＮＡの共振周波数を変えることで、免疫系を刺激しエネルギーのバランスを整える等、義歯１が、体調不良の改善に効果も発揮する。
【００４５】
また、収容部１１ａが人工歯１２における前歯１２ａに隣接して設けられていることで、収容部１１ａの容積が、前歯１２ａに隣接した部位により広く確保され、より多くの物品Ｘを収容しておくことができる。特に、本実施形態においては、無機物Ｘ２として複数種の天然石を収容しておくことで、オルゴンエネルギーのみならず、天然石毎の多様な自然エネルギーを享受することが可能となる。
【００４６】
なお、上述の実施形態において示した各構成部材の諸形状や寸法等は一例であって、設計要求等に基づき種々変更可能である。
【００４７】
例えば、本実施形態においては、下側の義歯に物品を収容した例を示したが、上側の義歯に物品を収容する構成としても良い。
【００４８】
また、本実施形態においては、総義歯に物品を収容した例を示したが、部分義歯に物品を収容する構成としても良い。
【符号の説明】
【００４９】
１      義歯
１１    義歯床
１１ａ  収容部
１２    人工歯
１２ａ  前歯
Ｘ      物品
Ｘ１    有機物
Ｘ２    無機物
Ｘ３    コイル部材
【図１】
0003227784.tif 000003
【図２】
0003227784.tif 000004
【図３】
0003227784.tif 000005